(57)【要約】      （修正有）【課題】線形スライドレールのチェーベルト循環装置の組立時間を減らし生産効率を高めること。【解決手段】スライドブロック１０両側に複数の穿孔１５が設けられ、穿孔の両端に複数の位置決め構造が挿設され、各位置決め構造が内隔片２３，３３、上半部スリーブ２６と下半部スリーブ２９を包含し、上半部スリーブ、下半部スリーブが内隔片と一体成形され、上半部スリーブと下半部スリーブが穿孔に挿設され、各内隔片の外側に外隔片６０，６２が設けられ、スライドブロックの一端に第１エンドカバー７０が設けられてスライドブロックの一端の内隔片と外隔片を定位し、位置決め構造と外隔片にそれぞれ複数のチェーベルト９０が挿通され、スライドブロックの別端に第２エンドカバー７５が設けられ、スライドブロックの別端の内隔片と外隔片を定位し、位置制限構造がスライドブロック、位置決め構造及び外隔片に挿設されて第１エンドカバーと第２エンドカバーの間に設けられている。【選択図】図２
0003115452.tif 000002
【実用新案登録請求の範囲】
【請求項１】
線形スライドレールのチェーベルト循環装置において、
両側に複数の穿孔が設けられたスライドブロックと、
複数の位置決め構造であって、該穿孔の両端に挿設されて、該スライドブロックの両端に設けられ、各位置決め構造がいずれも内隔片、上半部スリーブと下半部スリーブを包含し、該上半部スリーブ、該下半部スリーブと該内隔片は一体成形され、該穿孔に挿設される、上記複数の位置決め構造と、
各内隔片の外側に設けられた複数の外隔片と、
該スライドブロックの一端に設けられ、該内隔片と該外隔片を位置決めする第１エンドカバーと、
該スライドブロックの別端に設けられ、該内隔片と該外隔片を位置決めする第２エンドカバーと、
該スライドブロックに挿設され、該位置決め構造と該外隔片が第１エンドカバーと第２エンドカバーの間に設けられる、位置制限構造と、
それぞれ該位置決め構造と該外隔片に挿設される複数のチェーベルトと、
を包含したことを特徴とする、線形スライドレールのチェーベルト循環装置。
【請求項２】
請求項１記載の線形スライドレールのチェーベルト循環装置において、複数の位置決め構造は第１位置決め構造、第２位置決め構造、第３位置決め構造、第４位置決め構造を包含し、該第１位置決め構造と第２位置決め構造がスライドブロックの一端に設けられ、第３位置決め構造と第４位置決め構造が該スライドブロックの別端に設けられ、第１位置決め構造の上半部スリーブと下半部スリーブが第３位置決め構造の下半部スリーブと上半部スリーブと組み合わされ、第２位置決め構造の上半部スリーブと下半部スリーブが第４位置決め構造の上半部スリーブと下半部スリーブに組み合わされたことを特徴とする、線形スライドレールのチェーベルト循環装置。
【請求項３】
請求項１記載の線形スライドレールのチェーベルト循環装置において、位置制限構造が、
内隔片と外隔片に設けられた上位置制限溝とスライドブロックを貫通し、両端が第１エンドカバーと第２エンドカバーに挿設される、上位置制限構造と、
スライドブロックに挿設され、両端がスライドブロックの両端に位置する二つの内隔片に挿設される、中位置制限構造と、
内隔片と外隔片に設けられた下位置制限溝とスライドブロックを貫通し、両端が第１エンドカバーと第２エンドカバーに挿設される、下位置制限構造と、
を包含することを特徴とする、線形スライドレールのチェーベルト循環装置。
【請求項４】
請求項３記載の線形スライドレールのチェーベルト循環装置において、上位置制限構造が、
スライドブロックの一側と該スライドブロックの一側に位置する内隔片と外隔片に設けられた上位置制限溝を貫通し、両端が第１エンドカバーと第２エンドカバーに設けられた上固定溝に挿設された、第１上位置制限部品と、
スライドブロックの別側と該スライドブロックの別側に位置する内隔片と外隔片に設けられた上位置制限溝を貫通し、両端が第１エンドカバーと第２エンドカバーに設けられたもう一つの上固定溝に挿設された、第２上位置制限部品と、
を包含したことを特徴とする、線形スライドレールのチェーベルト循環装置。
【請求項５】
請求項３記載の線形スライドレールのチェーベルト循環装置において、中位置制限構造が、
スライドブロックの一側を貫通し、両端が、該スライドブロックの一側の両端に位置する二つの内隔片に設けられた固定孔に挿設された、第１中位置制限部品と、
スライドブロックの別側を貫通し、両端が、該スライドブロックの別側の両端に位置する二つの内隔片に設けられた別の固定孔に挿設された、第２中位置制限部品と、
を包含したことを特徴とする、線形スライドレールのチェーベルト循環装置。
【請求項６】
請求項３記載の線形スライドレールのチェーベルト循環装置において、下位置制限構造が、
スライドブロックの一側と該スライドブロックの一側に位置する内隔片と外隔片に設けられた下位置制限溝を貫通し、両端が第１エンドカバーと第２エンドカバーに設けられた下固定溝に挿設された、第１下位置制限部品と、
スライドブロックの別側と該スライドブロックの別側に位置する内隔片と外隔片に設けられた下位置制限溝を貫通し、両端が第１エンドカバーと第２エンドカバーに設けられたもう一つの下固定溝に挿設された、第２下位置制限部品と、
を包含したことを特徴とする、線形スライドレールのチェーベルト循環装置。
【請求項７】
請求項１記載の線形スライドレールのチェーベルト循環装置において、各内隔片がいずれも第１外案内孔と内案内孔を具え、上半部スリーブと下半部スリーブが該内案内孔と第１外案内孔と連通し、各内隔片の該外隔片に対向する側に内案内孔に接続される内案内溝が設けられ、各外隔片の該内案内溝に対向する部分に内収容溝が設けられ、各外隔片の第１外案内孔に対向する部分に第２外案内孔が設けられ、該第２外案内孔と外隔片の外側に設けられた外案内溝が接続され、第１及び第２エンドカバーの外案内溝に対向する部分に外収容溝が設けられたことを特徴とする、線形スライドレールのチェーベルト循環装置。
【請求項８】
請求項１記載の線形スライドレールのチェーベルト循環装置において、各チェーベルトが保持器と複数の回転部品を包含し、該保持器が複数のスペーサシートを包含し、各スペーサシートの間は所定距離離間し、各スペーサシートの両側に連接ベルトが設けられ、該連接ベルトの外側が抗引っ張りベルトに接続され、各スペーサシートの間に収容空間があり、該収容空間に回転部品が設けられ、各スペーサシートの該回転部品と接触する上半側面は円弧形を呈し、下半側面は平面を呈することを特徴とする、線形スライドレールのチェーベルト循環装置。
【請求項９】
請求項１記載の線形スライドレールのチェーベルト循環装置において、第１エンドカバー、第２エンドカバー、外隔片、内隔片とスライドブロックそれぞれに少なくとも一つのネジ孔が設けられ、複数のネジが該ネジ孔にねじ込まれて、第１エンドカバー、第２エンドカバー、外隔片と内隔片がスライドブロックに固定されることを特徴とする、線形スライドレールのチェーベルト循環装置。
【考案の詳細な説明】
【技術分野】
【０００１】
本考案は一種のチェーベルト循環装置に係り、特に、線形スライドレールのチェーベルト循環装置であって、組立に便利で、組立時間を減らせ、線形スライドレールのチェーベルト循環装置の生産効率を上げたものに関する。
【背景技術】
【０００２】
線形スライドレールの種類は非常に多く、工業上の使用も相当に普及しており、機器或いは測定機器の移動制御の多くに線形スライドレールが用いられ線形スライドレールは高い剛性、高精度化の特性を有し、且つ高負荷、高速度、低騒音及び耐高音の特性を具え、一部の線形スライドレールは更に多くの劣悪な環境に適応可能であり、上述の多くの特性に基づき、線形スライドレールは各業種に使用され、工業用の研磨ベッド、プレスベッド或いは重切削機ベッド、大理石切削機、運輸設備或いは自動化設備、更には精密測定、検査機器等に使用され、もし線形スライドレールの組合せがなければ、機器或いは測定機器の作業効率と精度は下がる。
【０００３】
線形スライドレールの性能を高めるため、現在チェーベルト循環装置を具えた線形スライドレールが設計されており、その特徴はチェーベルト循環装置によりスライドレールとスライドブロックの間の摩擦力を下げたことにある。現在のチェーベルト循環装置の部品は複雑で、且つ組立が容易でなく、時間がかかり、チェーベルト循環装置の装置を更に簡易化するにはチェーベルト循環装置の組立効率を上げねばならず、このほか、チェーベルトの循環装置中での運動時に、チェーベルトの発生する摩擦力もスライドレールとスライドブロックの相対運動に影響し、且つ騒音を発生し、チェーベルトの循環装置中での運動時に発生する摩擦力が下がれば、有効にスライドレールの移動効率を高め騒音を減らせる。
【考案の開示】
【考案が解決しようとする課題】
【０００４】
このため本考案は一種の線形スライドレールのチェーベルト循環装置を提供し、その構造を簡易化し、組立に便利であり、チェーベルト循環装置の生産効率を高める。このほか、チェーベルトの循環装置中での運動時に発生する摩擦力は小さく、スライドレールの移動効率を高め、これにより上述の問題を解決する。
【０００５】
本考案の主要な目的は、一種の線形スライドレールのチェーベルト循環装置を提供することにあり、それは組立に便利で組立時間を減らせこれにより生産効率を高めたものとする。
【０００６】
本考案のもう一つの目的は、線形スライドレールのチェーベルト循環装置を提供することにあり、そのチェーベルトの循環運動時に、回転部品の押圧を減らし、摩擦抵抗力を減らし、スライドレールの移動効率を高め、静音の効果を達成できるものとする。
【０００７】
本考案の線形スライドレールのチェーベルト循環装置は、スライドブロック、複数の位置決め構造、複数の外隔片、位置制限構造、複数のチェーベルト、第１エンドカバー及び第２エンドカバーを包含し、そのうち、スライドブロックの両側に複数の穿孔が設けられ、穿孔の両端に位置決め構造が設けられ、各位置決め構造は内隔片、上半部スリーブ、下半部スリーブを包含し、上半部スリーブ、下半部スリーブは内隔片と一体成形され、且つ穿孔に挿設され、各外隔片は各内隔片の外側に設けられ、チェーベルトはそれぞれ位置決め構造と外隔片に挿設され、第１エンドカバーと第２エンドカバーはそれぞれ該スライドブロックの両端に設けられて内隔片と外隔片を位置決めし、このほか、位置制限構造は、スライドブロック、位置決め構造と外隔片に挿設され、第１エンドカバーと第２エンドカバーの間に設けられる。
【課題を解決するための手段】
【０００８】
請求項１の考案は、線形スライドレールのチェーベルト循環装置において、
両側に複数の穿孔が設けられたスライドブロックと、
複数の位置決め構造であって、該穿孔の両端に挿設されて、該スライドブロックの両端に設けられ、各位置決め構造がいずれも内隔片、上半部スリーブと下半部スリーブを包含し、該上半部スリーブ、該下半部スリーブと該内隔片は一体成形され、該穿孔に挿設される、上記複数の位置決め構造と、
各内隔片の外側に設けられた複数の外隔片と、
該スライドブロックの一端に設けられ、該内隔片と該外隔片を位置決めする第１エンドカバーと、
該スライドブロックの別端に設けられ、該内隔片と該外隔片を位置決めする第２エンドカバーと、
該スライドブロックに挿設され、該位置決め構造と該外隔片が第１エンドカバーと第２エンドカバーの間に設けられる、位置制限構造と、
それぞれ該位置決め構造と該外隔片に挿設される複数のチェーベルトと、
を包含したことを特徴とする、線形スライドレールのチェーベルト循環装置としている。
請求項２の考案は、請求項１記載の線形スライドレールのチェーベルト循環装置において、複数の位置決め構造は第１位置決め構造、第２位置決め構造、第３位置決め構造、第４位置決め構造を包含し、該第１位置決め構造と第２位置決め構造がスライドブロックの一端に設けられ、第３位置決め構造と第４位置決め構造が該スライドブロックの別端に設けられ、第１位置決め構造の上半部スリーブと下半部スリーブが第３位置決め構造の下半部スリーブと上半部スリーブと組み合わされ、第２位置決め構造の上半部スリーブと下半部スリーブが第４位置決め構造の上半部スリーブと下半部スリーブに組み合わされたことを特徴とする、線形スライドレールのチェーベルト循環装置としている。
請求項３の考案は、請求項１記載の線形スライドレールのチェーベルト循環装置において、位置制限構造が、
内隔片と外隔片に設けられた上位置制限溝とスライドブロックを貫通し、両端が第１エンドカバーと第２エンドカバーに挿設される、上位置制限構造と、
スライドブロックに挿設され、両端がスライドブロックの両端に位置する二つの内隔片に挿設される、中位置制限構造と、
内隔片と外隔片に設けられた下位置制限溝とスライドブロックを貫通し、両端が第１エンドカバーと第２エンドカバーに挿設される、下位置制限構造と、
を包含することを特徴とする、線形スライドレールのチェーベルト循環装置としている。
請求項４の考案は、請求項３記載の線形スライドレールのチェーベルト循環装置において、上位置制限構造が、
スライドブロックの一側と該スライドブロックの一側に位置する内隔片と外隔片に設けられた上位置制限溝を貫通し、両端が第１エンドカバーと第２エンドカバーに設けられた上固定溝に挿設された、第１上位置制限部品と、
スライドブロックの別側と該スライドブロックの別側に位置する内隔片と外隔片に設けられた上位置制限溝を貫通し、両端が第１エンドカバーと第２エンドカバーに設けられたもう一つの上固定溝に挿設された、第２上位置制限部品と、
を包含したことを特徴とする、線形スライドレールのチェーベルト循環装置としている。
請求項５の考案は、請求項３記載の線形スライドレールのチェーベルト循環装置において、中位置制限構造が、
スライドブロックの一側を貫通し、両端が、該スライドブロックの一側の両端に位置する二つの内隔片に設けられた固定孔に挿設された、第１中位置制限部品と、
スライドブロックの別側を貫通し、両端が、該スライドブロックの別側の両端に位置する二つの内隔片に設けられた別の固定孔に挿設された、第２中位置制限部品と、
を包含したことを特徴とする、線形スライドレールのチェーベルト循環装置としている。
請求項６の考案は、請求項３記載の線形スライドレールのチェーベルト循環装置において、下位置制限構造が、
スライドブロックの一側と該スライドブロックの一側に位置する内隔片と外隔片に設けられた下位置制限溝を貫通し、両端が第１エンドカバーと第２エンドカバーに設けられた下固定溝に挿設された、第１下位置制限部品と、
スライドブロックの別側と該スライドブロックの別側に位置する内隔片と外隔片に設けられた下位置制限溝を貫通し、両端が第１エンドカバーと第２エンドカバーに設けられたもう一つの下固定溝に挿設された、第２下位置制限部品と、
を包含したことを特徴とする、線形スライドレールのチェーベルト循環装置としている。
請求項７の考案は、請求項１記載の線形スライドレールのチェーベルト循環装置において、各内隔片がいずれも第１外案内孔と内案内孔を具え、上半部スリーブと下半部スリーブが該内案内孔と第１外案内孔と連通し、各内隔片の該外隔片に対向する側に内案内孔に接続される内案内溝が設けられ、各外隔片の該内案内溝に対向する部分に内収容溝が設けられ、各外隔片の第１外案内孔に対向する部分に第２外案内孔が設けられ、該第２外案内孔と外隔片の外側に設けられた外案内溝が接続され、第１及び第２エンドカバーの外案内溝に対向する部分に外収容溝が設けられたことを特徴とする、線形スライドレールのチェーベルト循環装置としている。
請求項８の考案は、請求項１記載の線形スライドレールのチェーベルト循環装置において、各チェーベルトが保持器と複数の回転部品を包含し、該保持器が複数のスペーサシートを包含し、各スペーサシートの間は所定距離離間し、各スペーサシートの両側に連接ベルトが設けられ、該連接ベルトの外側が抗引っ張りベルトに接続され、各スペーサシートの間に収容空間があり、該収容空間に回転部品が設けられ、各スペーサシートの該回転部品と接触する上半側面は円弧形を呈し、下半側面は平面を呈することを特徴とする、線形スライドレールのチェーベルト循環装置としている。
請求項９の考案は、請求項１記載の線形スライドレールのチェーベルト循環装置において、第１エンドカバー、第２エンドカバー、外隔片、内隔片とスライドブロックそれぞれに少なくとも一つのネジ孔が設けられ、複数のネジが該ネジ孔にねじ込まれて、第１エンドカバー、第２エンドカバー、外隔片と内隔片がスライドブロックに固定されることを特徴とする、線形スライドレールのチェーベルト循環装置としている。
【考案の効果】
【０００９】
本考案の線形スライドレールのチェーベルト循環装置は、位置決め構造の上半部スリーブ、下半部スリーブと内隔片が一体成形され、ゆえにチェーベルト循環装置の組立時間を減らすことができ、並びに本考案のチェーベルトを使用することにより、チェーベルトが循環装置において運動する時、摩擦力を減少でき、これによりスライドレールの移動効率を高め、且つ静音の効果を達成できる。
【００１０】
ゆえに本考案は新規性、進歩性及び産業上の利用価値を具えた考案である。なお、以下の実施例の説明は本考案の実施範囲を限定するものではなく、本考案に基づきなしうる細部の修飾或いは改変は、いずれも本考案の請求範囲に属するものとする。
【考案を実施するための最良の形態】
【００１１】
図１と図２に示されるのは本考案のスライドブロックの立体部と分解図である。図示されるように、線形スライドレール５のチェーベルト循環装置は、スライドブロック１０、複数の位置決め構造、複数の外隔片、第１エンドカバー７０、第２エンドカバー７５、位置制限構造８０及び複数のチェーベルト９０を包含し、スライドブロック１０の両側に複数の穿孔１５が設けられ、複数の位置決め構造は第１位置決め構造２０、第２位置決め構造３０、第３位置決め構造４０及び第４位置決め構造５０を包含し、第１位置決め構造２０と第２位置決め構造３０はスライドブロック１０の一端に設けられ、第３位置決め構造４０と第４位置決め構造５０はスライドブロック１０の別端に設けられる。
【００１２】
位置決め構造２０、３０、４０、５０はそれぞれ内隔片２３、３３、４３、５３と上半部スリーブ２６、３６、４６、５６及び下半部スリーブ２９、３９、４９、５９を包含し、各位置決め構造の内隔片、上半部スリーブ、と下半部スリーブは一体成形され、第１位置決め構造２０の上半部スリーブ２６、下半部スリーブ２９と第２位置決め構造３０の上半部スリーブ３６と下半部スリーブ３９はそれぞれスライドブロック１０の一端の両側の穿孔１５に挿設され、第３位置決め構造４０の上半部スリーブ４６、下半部スリーブ４９と第４位置決め構造５０の上半部スリーブ５６と下半部スリーブ５９はそれぞれスライドブロック１０の別端の両側の穿孔１５に挿入される。第１位置決め構造２０の上半部スリーブ２６と下半部スリーブ２９はそれぞれ第３位置決め構造４０の下半部スリーブ４９と上半部スリーブ４６と組み合わされ、第２位置決め構造３０の上半部スリーブ３６と下半部スリーブ３９はそれぞれ第４位置決め構造５０の下半部スリーブ５９と上半部スリーブ５６と組み合わされる。
【００１３】
位置決め構造２０、３０、４０、５０の内隔片２３、３３、４３、５３にそれぞれ内案内孔２３２、３３２、４３２、５３２（図１と図９参照）、第１外案内孔２３４、３３４、４３４、５３４が設けられ（図１と７参照）、チェーベルト９０の挿設に用いられる。内案内孔２３２、３３２、４３２、５３２は上半部スリー２６、３６、４６、５６と連通し、第１外案内孔２３４、３３４、４３４、５３４はそれぞれ下半部スリーブ２９、３９、４９、５９と連通する（図１と図７及び図９参照）。このほか、内隔片２３、３３、４３、５３の外側にそれぞれ内案内溝２３６、３３６、４３６、５３６が設けられ（図１と図９及び図１０参照）、チェーベルト９０の運動を案内する。内案内溝２３６、３３６、４３６、５３６はそれぞれ内案内孔２３２、３３２、４３２、５３２と接続される（図１、図９、図１０を参照）。このほか、内隔片２３、３３、４３、５３はそれぞれ固定孔２３７、３３７、４３７、５３７（図１、図３、図４参照）、上位置制限溝２３８、３３８、４３８、５３８、下位置制限溝２３９、３３９、４３９、５３９を具えている。
【００１４】
複数の外隔片は第１外隔片６０、第２外隔片６２、第３外隔片６４、及び第４外隔片６６を包含し、これら外隔片はそれぞれ内隔片２３、３３、４３、５３に挿設され、位置決め構造の外側（図１、図３及び図１０参照）に設けられ、外隔片６０、６２、６４、６６の内隔片２３、３３、４３、５３の内案内溝２３６、３３６、４３６、５３６に対向する部分に、それぞれ内収容溝６０２、６２２、６４２、６６２（図１、図３及び図４参照）が設けられ、チェーベルト９０を収容し、且つ内隔片２３、３３、４３、５３の第１外案内孔２３４、３３４、４３４、５３４に対向する部分に第２外案内孔６０４、６２４、６４４、６６４が設けられて、チェーベルト９０が通される。
【００１５】
このほか、外隔片６０、６２、６４、６６の外側に外案内溝６０６、６２６、６４６、６６６が設けられて、チェーベルト９０の運動を案内し、外案内溝６０６、６２６、６４６、６６６はそれぞれ第２外案内孔６０４、６２４、６４４、６６４と接続され（図１、図１０及び図１３参照）、外隔片６０、６２、６４、６６の内隔片２３、３３、４３、５３の上位置制限溝２３８、３３８、４３８、５３８と下位置制限溝２３９、３３９、４３９、５３９に対向する部分にも上位置制限溝６０８、６２８、６４８、６６８と下位置制限溝６０９、６２９、６４９、６６９（図１、図３及び図４）が設けられている。
【００１６】
第１エンドカバー７０と第２エンドカバー７５はスライドブロック１０の両端に設けられ、内隔片２３、３３、４３、５３と外隔片６０、６２、６４、６６を位置決めし、第１エンドカバー７０と第２エンドカバー７５の外収容溝６０６、６２６、６４６、６６６に対向する部分に、外収容溝７０１、７０３、７５１、７５３が設けられてチェーベルト９０の収容に用いられる（図１、図４）。スライドブロック１０、第１エンドカバー７０、第２エンドカバー７５、外隔片６０、６２、６４、６６と内隔片２３、３３、４３、５３にはいずれもネジ孔７９があり、ネジにより第１エンドカバー７０、第２エンドカバー７５、外隔片６０、６２、６４、６６と内隔片２３、３３、４３、５３の両端に固定される。
【００１７】
第２エンドカバー７５の外隔片６４、６６の上位置制限溝６４８、６６８と下位置制限溝６４９、６６９に対向する部分に上固定溝７５５、７５６と下固定溝７５７、７５８が設けられ（図３、４）、第１エンドカバー７０の外隔片６０、６２の上位置制限溝６０８、６２８と下位置制限溝６０９、６２９に対応する部分にも、上固定溝と下固定溝７０７、７０８が設けられ、第１エンドカバー７０の上固定溝は図示されないが、第２エンドカバー７５との上固定溝７５５、７５６と同様である。
【００１８】
位置制限構造８０は上位置制限構造８３、中位置制限構造８６、及び下位置制限構造８９を包含し、中位置制限構造８６は第１中位置制限部品８６３と第２中位置制限部品８６６を包含し、第１中位置制限部品８６３はスライドブロック１０の一側に挿設され、両端に設けられた固定柱８６３５は内隔片２３、４３に設けられた固定孔２３７、４３７に挿設され、第２中位置制限部品８６６はスライドブロック１０の別側に挿設され、両端に設けられた固定柱８６６５がそれぞれ内隔片３３、５３に設けられた固定孔３３７、５３７に挿設される。
【００１９】
図１と図４を参照されたい。上位置制限構造８３は第１上位置制限部品８３３と第２上位置制限部品８３６を包含し、第１上位置制限部品８３３が外隔片６４、６０の上位置制限溝６４８、６０８、内隔片４３、２３の上位置制限溝４３８、２３８とスライドブロック１０の一側に挿設され、第１上位置制限部品８３３の両端に設けられた上位置制限柱８３３５はそれぞれ第１エンドカバー７０と第２エンドカバー７５の上固定溝に挿設され、第２上位置制限部品８３６外隔片６６、６２の上位置制限溝６６８、６２８、内隔片５３、３３の上位置正芸溝５３８、３３８とスライドブロック１０の別側に挿通され、第２上位置制限部品８３６の両端に設けられた位置制限柱８３６５はそれぞれ第１エンドカバー７０と第２エンドカバー７５の上固定溝に挿設される。
【００２０】
下位置制限構造８９は、第１下位置制限部品８９３と第２下位置制限部品８９６を包含し、第１下位置制限部品８９３は外隔片６４、６０の下位置制限溝６４９、６０９、内隔片４３、２３の下位置制限溝４３９、２３９とスライドブロック１０の一側に挿設され、第１下位置制限部品８９３の両端に設けられた下位置制限柱８９３５はそれぞれ第１エンドカバー７０と第２エンドカバー７５の下固定溝７０７、７５７に挿設され、第２下位置制限部品８９６は外隔片６６、６２の下位置紫衣元溝６６９、６２９、内隔片５３、３３の下位置制限溝５３９、３３９とスライドブロック１０の別側に挿通され、第２下位置制限部品８９６の両端に設けられた下位置制限柱８９６５はそれぞれ第１エンドカバー７０と第２エンドカバー７５の下固定溝７０８、７５８に挿設される。
【００２１】
図１と図５、図６を参照されたい。本考案の各チェーベルト９０は、保持器９５と複数の回転部品９９を具えている。保持器９５は複数のスペーサシート９５１、複数の連接ベルト９５３と複数の抗引っ張りベルト９５５を具えている。各スペーサシート９５１の間は所定距離を離間している。このほか、各スペーサシート９５１の両側にそれぞれ連接ベルト９５３が設けられ、各連接ベルト９５３の外側が抗引っ張りベルト９５５と接続されている。各スペーサシート９５１の間に収容空間９５７が設けられて回転部品９９がそれに設置され、各スペーサシート９５１の回転部品９９と接触する上半側面は円弧状を呈し、下半側面は平面を呈し、こうして回転部品９９の運動時に発生する摩擦力を減らし、且つ回転部品９９の押圧効果を減らす。こうしてスライドレール５の移動効率を高め、騒音低減の効果を達成する。
【００２２】
図１、図７及び図１５に示されるのは保持器９５の実施例の組立ステップである。図示されるように、本考案の線形スライドレールのチェーベルト循環装置を組み立てる時は、まず図７のように、第１位置決め構造２０の上半部スリーブ２６、下半部スリーブ２９と第３位置決め構造４０の上半部スリーブ４６、下半部スリーブ４９をそれぞれスライドブロック１０の一端の両側の穿孔１５に挿入すれば、第１位置決め構造２０が第３位置決め構造４０とスライドブロック１０の一端の両側に取り付けられる。
【００２３】
その後、図８に示されるように、中位置制限構造８６の第１中位置制限部品８６３と第２中位置制限部品８６６の一端に設けられた固定柱８６３５、８６６５を第１位置決め構造２０と第２位置決め構造３０の２３、３３に設けられた固定孔２３７、３３７に挿入して、第１中位置制限部品８６３と第２中位置制限部品８６６をスライドブロック１０の両側に挿設する。
【００２４】
続いて図９に示されるように、第３位置決め構造４０の上半部スリーブ４６、下半部スリーブ４９と第４位置決め構造５０の上半部スリーブ５６、下半部スリーブ５９をそれぞれスライドブロック１０の別端の両側の穿孔１５に挿入し、第３位置決め構造４０と第４位置決め構造５０をそれぞれスライドブロック１０の別端の両側に設け、このほか、第３位置決め構造４０と第４位置決め構造５０の内隔片４３、５３に設けられた固定孔４３７、５３７に第１中位置制限部品８６３と第２中位置制限部品８６６の別端に設けられた固定柱８６３５、８６６５を挿入する。
【００２５】
その後、図１０のように、第１外隔片６０と第２外隔片６２を第１位置決め構造２０の内隔片２３と第２位置決め構造３０の内隔片３３に設置し、且つ第１エンドカバー７０をスライドブロック１０の一側に設置し、第１外隔片６０、第２外隔片６２と内隔片２３、３３を位置決めし、並びにネジをネジ孔７９にねじこみ、第１エンドカバー７０、第１外隔片６０、第２外隔片６２と内隔片２３、３３をスライドブロック１０の一端に固定する。
【００２６】
その後、図１１に示されるように、上位置制限構造８３と下位置制限構造８９を取り付け、第１上位置制限部品８３３と第１下位置制限部品８９３はそれぞれ第３位置決め構造４０の内隔片４３の上位置制限溝４３８と下位置制限溝２３９及び第１外隔片６０の上位置制限溝６０８と下位置制限溝６０９に挿入し、第１上位置制限部品８３３と第１下位置制限部品８９３１の一端に設けられた上位置制限柱８３３５と下位置制限柱８９３５は、それぞれ第１エンドカバー７０に設けられた上固定溝と下固定溝に挿入する。
【００２７】
続いて第２上位置制限部品８３６と第２下位置制限部品８９６を第４位置決め構造５０の内隔片５３の上位置制限溝５３８と下位置制限溝５３９、スライドブロック１０の別側に、第２位置決め構造３０の内隔片３３の上位置制限溝３３８と下位置制限溝３３９及び第２外隔片６２の上位置制限溝６２８と下位置制限溝６２９に挿入し、第２上位置制限部品８３６と第２下位置制限部品８９６の一端に設けられた上位置制限柱８６３５と下位置制限柱８９６５は、それぞれ第１エンドカバー７０に設けられた上固定溝と下固定溝に挿入する。
【００２８】
図１０、１２に示されるように、第１上位置制限部品８３３、第２上位置制限部品８３６、第１中位置制限部品８６３と第２中位置制限部品８６６はスライドブロック１０の両側上部に挿入され、それぞれスライドブロック１０の両側において上案内通路１６、１７を形成し、上案内通路１６は第１位置決め構造２０の内隔片２３の内案内溝２３６と接続され、上案内通路１７は第４位置決め構造５０の内案内溝５３６と接続され、且つ第２外隔片６２の外案内溝６２６と接続され、第１下位置制限部品８９３と第２下位置制限部品８９６がスライドブロック１０の両側に取り付けられ、同様にスライドブロック１０の両側底部に下案内通路１８、１９を形成し、下案内通路１８は第３位置決め構造４０の内隔片４３の内案内溝４３６と接続され、下案内通路１９は第２位置決め構造３０の内案内溝３３６と接続され、上案内通路１６、１７と下案内通路１８、１９はチェーベルト９０の運動を案内し、チェーベルト９０がスライドレール５においてスライドブロック１０より分離する時に離脱の情況が発生するのを防止する。
【００２９】
続いて、図７、９、１０、１３に示されるのは二つのチェーベルト９０がスライドブロック１０の両側に設けられた場合であり、チェーベルト９０が第３位置決め構造４０の内隔片４３の内案内孔４３２と上半部スリーブ４６、第１位置決め構造２０の下半部スリーブ２９と内隔片２３の第１外案内孔２３４、第１外隔片６０の第２外案内孔６０４と外案内溝６０６、第１エンドカバー７０の外収容溝７０１、下案内通路１８、及び内隔片４３の内案内溝４３６を貫通し、循環運動構造を形成する。もう一つのチェーベルト９０は、第４位置決め構造５０の内隔片５３の内案内孔５３２と上半部スリーブ５６、第２位置決め構造３０の下半部スリーブ３９と内隔片３３の第１外案内孔３３４、第２外隔片６２の第２外案内孔６２４と外案内溝６２６、第１エンドカバー７０の外収容溝７０２、上案内通路１７及び内隔片５３の内案内溝５３６を貫通して、循環運動構造を形成する。
【００３０】
その後、第３外隔片６４と第４外隔片６６が第３位置決め構造４０と第４位置決め構造５０の内隔片４３、５３の外側に取り付けられ、図１４に示されるように、第３外隔片６４と第４外隔片６６の取り付けが完成し、図示されるように、第３外隔片６４の外案内溝６４６と上案内部迂路１６は接続され、第４外隔片６６の外案内溝６６６は下案内通路１９と接続される。
【００３１】
その後、図１５に示されるように、二つのチェーベルト９０がスライドブロック１０の両側に通されて交叉状を呈し、一つのチェーベルト９０が第３外隔片６４の第２外案内孔６４４、第３位置決め構造４０の内隔片４３の第１外案内孔４３４と下半部スリーブ４９、第１位置決め構造２０の上半部スリーブ２６、内隔片２３の内案内孔２３２と内案内溝２３６、第１外隔片６０の内収容溝６０２、上案内通路１６及び第３外隔片６４の外案内溝６４６を貫通して循環運動構造を形成する。もう一つのチェーベルト９０は第４外隔片６６の第２外案内孔６６４、第４位置決め構造５０の内隔片５３の第１外案内孔５３４と下半部スリーブ５９、第２位置決め構造３０の上半部スリーブ３６、内隔片３３の内案内孔３３２と内案内溝３３３６、第２外隔片６２の内収容溝６２２、下案内通路１９及び第４外隔片６６の外案内溝６６６を貫通し、循環運動構造を形成する。
【００３２】
最後に図４、１５に示されるように、第２エンドカバー７５がスライドブロック１０の別端に設けられ、第１上位置制限部品８３３と第２上位置制限部品９８３６の一端に設けられた上位置制限柱８３３５、８３６５がそれぞれ第２エンドカバー７５に設けられた上固定溝７５５、７５６に挿入されて、第１位置制限部品８９３と第２下位置制限部品８９６の一端に設けられた下位置制限柱８９３５、８９６５はそれぞれ第２エンドカバー７５に設けられた下固定溝７５７、７５８に挿入され、このほか、ネジがネジ孔７９にねじ込まれて、第２エンドカバー７５、第３外隔片６４、第４外隔片６６と内隔片４３、５３がスライドブロック１０の別端に固定される。
【図面の簡単な説明】
【００３３】
【図１】本考案の立体図である。
【図２】本考案の分解図である。
【図３】本考案の位置決め構造と外隔片の組立表示図である。
【図４】本考案の上位置制限構造と外隔片の組立表示図である。
【図５】本考案のチェーベルトの分解図である。
【図６】本考案のチェーベルトの立体図（Ａ）であり、局部断面拡大図（Ｂ）と共に示している。
【図７】本考案の組立ステップ表示図である。
【図８】本考案の組立ステップ表示図である。
【図９】本考案の組立ステップ表示図である。
【図１０】本考案の組立ステップ表示図である。
【図１１】本考案の組立ステップ表示図である。
【図１２】本考案の組立ステップ表示図である。
【図１３】本考案の組立ステップ表示図である。
【図１４】本考案の組立ステップ表示図である。
【図１５】本考案の組立ステップ表示図である。
【符号の説明】
【００３４】
５  線形スライドレール                    ３３６  内案内溝
１０  スライドブロック                    ３３７  固定孔
１５  穿孔                                ３３８  上位置制限溝
１６  上案内通路                          ３３９  下位置制限溝
１７  上案内通路                          ３６  上半部スリーブ
１８  下案内通路                          ３９  下半部スリーブ
１９  下案内通路                          ４０  第３位置決め構造
２０  第１位置決め構造                    ４３  内隔片
２３  内隔片                              ４３２  内案内孔
２３２  内案内孔                          ４３４  第１外案内孔
２３４  第１外案内孔                      ４３６  内案内溝
２３６  内案内溝                          ４３７  固定孔
２３７  固定孔                            ４３８  上位置制限溝
２３８  上位置制限溝                      ４３９  下位置制限溝
２３９  下位置制限溝                      ４６  上半部スリーブ
２６  上半部スリーブ                      ４９  下半部スリーブ
２９  下半部スリーブ                      ５０  第４位置決め構造
３０  第２位置決め構造                    ５３  内隔片
３３  内隔片                              ５３２  内案内孔
３３２  内案内孔                          ５３４  第１外案内孔
３３４  第１外案内孔                      ５３６  内案内溝
５３７  固定孔                            ６６６  外案内溝
５３８  上位置制限溝                      ６６８  上位置制限溝
５３９  下位置制限溝                      ６６９  下位置制限溝
５６  上半部スリーブ                      ７０  第１エンドカバー
５９  下半部スリーブ                      ７０１  外収容溝
６０  第１外隔片                          ７０３  外収容溝
６０２  内収容溝                          ７０７  下固定溝
６０４  第２外案内孔                      ７０８  下固定溝
６０６  外案内溝                          ７５  第２エンドカバー
６０８  上位置制限溝                      ７５１  外収容溝
６０９  下位置制限溝                      ７５３  外収容溝
６２  第２外隔片                          ７５５  上固定溝
６２２  内収容溝                          ７５６  上固定溝
６２４  第２外案内孔                      ７５７  下固定溝
６２６  外案内溝                          ７５８  下固定溝
６２８  上位置制限溝                      ７９  ネジ孔
６２９  下位置制限溝                      ８０  位置制限構造
６４  第３外隔片                          ８３  上位置制限構造
６４２  内収容溝                          ８３３  第１上位置制限部品
６４４  第２外案内孔                      ８３３５  上位置制限柱
６４６  外案内溝                          ８３６  第２上位置制限部品
６４８  上位置制限溝                      ８３６５  上位置制限柱
６４９  下位置制限溝                      ８６  中位置制限構造
６６  第４外隔片                          ８６３  第１中位置制限部品
６６２  内収容溝                          ８６３５  固定柱
６６４  第２外案内孔                      ８６６  第２中位置制限部品
８６６５  固定柱                          ９５  保持器
８９  下位置制限構造                      ９５１  スペーサシート
８９３  第１下位置制限部品                ９５３  連接ベルト
８９３５  下位置制限柱                    ９５５  抗引っ張りベルト
８９６  第２下位置制限部品                ９５７  収容空間
８９６５  下位置制限柱                    ９９  回転部品
９０  チェーベルト
【図１】
0003115452.tif 000003
【図２】
0003115452.tif 000004
【図３】
0003115452.tif 000005
【図４】
0003115452.tif 000006
【図５】
0003115452.tif 000007
【図６】
0003115452.tif 000008
【図７】
0003115452.tif 000009
【図８】
0003115452.tif 000010
【図９】
0003115452.tif 000011
【図１０】
0003115452.tif 000012
【図１１】
0003115452.tif 000013
【図１２】
0003115452.tif 000014
【図１３】
0003115452.tif 000015
【図１４】
0003115452.tif 000016
【図１５】
0003115452.tif 000017